(57)【要約】【課題】自装置の正しいダイヤル番号を自装置識別情報として登録させる。【解決手段】デジタル複合機１は、通信端末装置７に発呼して、電話事業者が提供する電話番号通知サービスにより自装置のダイヤル番号を通信端末装置に通知する。自動登録応答用端末７は、この番号通知情報を登録情報としてＮＳＣ信号に格納し、デジタル複合機１に送信する。デジタル複合機１は、受信した登録情報を、ＣＳＩ信号やＴＳＩ信号として使用される自装置識別情報として登録する。【選択図】図３
2007116352.tif 000002
【特許請求の範囲】
【請求項１】
ファクシミリ通信において自装置識別情報を通信相手先に送信する機能を有するファクシミリ装置において、
電話事業者が提供する電話番号通知サービスにより通信相手装置に通知される自装置のダイヤル番号を、前記通信相手装置から知得する自装置番号知得手段と、
知得した前記自装置のダイヤル番号を、前記自装置識別情報として登録する自装置識別情報登録手段、
を備えることを特徴とするファクシミリ装置。
【請求項２】
請求項１に記載のファクシミリ装置において、
前記自装置番号知得手段が、前記自装置のダイヤル番号を、所定の通信プロセスに含まれる所定の制御信号から知得することを特徴とするファクシミリ装置。
【請求項３】
請求項２に記載のファクシミリ装置において、
前記制御信号が非標準機能設定信号であることを特徴とするファクシミリ装置。
【請求項４】
請求項１から３のいずれかに記載のファクシミリ装置において、
前記通信相手装置がサービスセンターとして設置された所定の通信端末装置であることを特徴とするファクシミリ装置。
【請求項５】
公衆回線網を介して接続されたファクシミリ装置と通信する機能を有する通信端末装置において、
電話事業者が提供する電話番号通知サービスにより通知される通信相手装置のダイヤル番号を、当該通信相手装置に通知する番号通知手段、
を備えることを特徴とする通信端末装置。
【請求項６】
請求項５に記載の通信端末装置において、
前記番号通知手段が、前記通信相手装置のダイヤル番号を所定の通信プロセスに含まれる所定の制御信号に含ませて当該通信相手装置に送信することを特徴とする通信端末装置。
【請求項７】
ファクシミリ通信において自装置識別情報を通信相手先に送信する機能を有するファクシミリ装置と通信端末装置とを公衆回線網を介して接続した通信システムにおいて、
前記通信端末装置は、
電話事業者が提供する電話番号通知サービスにより通知された前記ファクシミリ装置のダイヤル番号を、当該ファクシミリ装置に通知する番号通知手段、
を備え、
前記ファクシミリ装置は、
前記通信端末装置より通知された当該ファクシミリ装置のダイヤル番号を、前記自装置識別情報として登録する自装置識別情報登録手段、
を備えることを特徴とする通信システム。
【請求項８】
請求項７に記載の通信システムにおいて、
前記番号通知手段が、
前記電話番号通知サービスにより通知された前記ファクシミリ装置のダイヤル番号を、当該通信プロセスにおける所定の制御信号に含ませて当該ファクシミリ装置に送信することを特徴とする通信システム。
【請求項９】
公衆回線網を介して所定の通信端末装置と接続され、ファクシミリ通信において自装置識別情報を通信相手先に送信する機能を有するファクシミリ装置において、前記自装置識別情報として使用されるデータの登録方法であって、
前記通信端末装置に発呼して、電話事業者が提供する電話番号通知サービスにより自装置のダイヤル番号を前記通信端末装置に通知する番号通知工程と、
前記通信端末装置より登録情報を知得する登録情報知得工程と、
前記知得された前記登録情報を自装置識別情報として登録する自装置識別情報登録工程と、
を備え、
前記登録情報が、前記電話番号通知サービスにより前記通信端末装置に通知された当該ファクシミリ装置のダイヤル番号であることを特徴とするデータの登録方法。
【発明の詳細な説明】
【技術分野】
【０００１】
この発明は、ファクシミリ通信において自装置識別情報を通信相手先に送信する機能を有するファクシミリ装置における自装置識別情報の登録に関するものであり、このような機能を有するファクシミリ装置、ファクシミリ装置と公衆回線網を介して接続された通信端末装置、およびファクシミリ装置と通信端末装置とを接続した通信システム、ならびに、データの登録方法に関する。
【背景技術】
【０００２】
従来より、ファクシミリ装置における各種の登録情報を公衆回線網を介して接続された端末装置から受信する技術がある。例えば、各種の登録情報を公衆回線網を介して接続されたサービスセンターのファクシミリ装置から迅速に受信することを可能とする技術がある（特許文献１参照）。
【０００３】
ところで、一般的なファクシミリ装置は、ＣＳＩ信号（被呼端末識別信号）やＴＳＩ信号（送信端末識別信号）等を利用して自装置に関する情報を通信相手先に送信する機能を備えている。この機能によって自装置に関する情報を通信相手先に送信するためには、ＣＳＩ信号やＴＳＩ信号として使用される自装置に関する情報（以下において「自装置識別情報」という）を予め登録しておく必要がある。
【０００４】
一方で、このＣＳＩ信号やＴＳＩ信号は、誤送信の防止や受信拒否の機能等に利用されている。特に近年においては、ファクシミリ送信を行う際に、送信先の端末装置からのＣＳＩ信号を参照し、送信先に誤りがないことを確認した上で画像データを送信することによって誤送信を防止する機能や、ファクシミリ受信の際に、送信側の端末装置からのＴＳＩ信号を確認し、不明な宛先の場合には画像データの受信を拒否する迷惑受信の拒否機能等を備えるファクシミリ装置が増えてきている。
【０００５】
【特許文献１】特開平７−３３６４８７号公報
【発明の開示】
【発明が解決しようとする課題】
【０００６】
従来においては、ＣＳＩ信号やＴＳＩ信号として使用される自装置識別情報が未登録であったり、誤った情報が登録されている場合であっても、ファクシミリ通信の主たる目的である画像データの通信自体に支障が生じることはなかった。
【０００７】
しかし、上述のように、ＣＳＩ信号やＴＳＩ信号を利用した誤送信防止機能等を備えるファクシミリ装置が増えつつある近年の状況においては、自装置識別情報として誤った情報が登録されていたり、自装置識別情報が未登録であるために、正しい宛先であるにも拘わらず誤送信防止機能が働いて画像データの送信が拒否されてしまう場合があった。また同様に、受信拒否機能が働いて画像データの受信が拒否されてしまう場合もあった。つまり、自装置識別情報が誤登録、もしくは未登録であるために、画像データの通信が妨げられるといった事態が生じていた。
【０００８】
この発明はこのような事情に鑑みてなされたものであって、自装置の正しいダイヤル番号を自装置識別情報として登録させることによって、通信相手の識別情報を利用した誤送信防止機能や受信拒否機能を有する装置に対しても正常なファクシミリ通信を行うことができるファクシミリ装置を提供することを目的としている。また、ファクシミリ装置に自装置の正しいダイヤル番号を自装置識別情報として登録させることを可能とする、通信端末装置、ファクシミリ装置と通信端末装置とを接続した通信システム、および、装置識別情報のデータの登録方法を提供することを目的としている。
【課題を解決するための手段】
【０００９】
請求項１の発明は、ファクシミリ通信において自装置識別情報を通信相手先に送信する機能を有するファクシミリ装置において、電話事業者が提供する電話番号通知サービスにより通信相手装置に通知される自装置のダイヤル番号を、前記通信相手装置から知得する自装置番号知得手段と、知得した前記自装置のダイヤル番号を、前記自装置識別情報として登録する自装置識別情報登録手段、を備える。
【００１０】
請求項２の発明は、請求項１に記載のファクシミリ装置において、前記自装置番号知得手段が、前記自装置のダイヤル番号を、所定の通信プロセスに含まれる所定の制御信号から知得する。
【００１１】
請求項３の発明は、請求項２に記載のファクシミリ装置において、前記制御信号が非標準機能設定信号である。
【００１２】
請求項４の発明は、請求項１から３のいずれかに記載のファクシミリ装置において、前記通信相手装置がサービスセンターとして設置された所定の通信端末装置である。
【００１３】
請求項５の発明は、公衆回線網を介して接続されたファクシミリ装置と通信する機能を有する通信端末装置において、電話事業者が提供する電話番号通知サービスにより通知される通信相手装置のダイヤル番号を、当該通信相手装置に通知する番号通知手段、を備える。
【００１４】
請求項６の発明は、請求項５に記載の通信端末装置において、前記番号通知手段が、前記通信相手装置のダイヤル番号を所定の通信プロセスに含まれる所定の制御信号に含ませて当該通信相手装置に送信する。
【００１５】
請求項７の発明は、ファクシミリ通信において自装置識別情報を通信相手先に送信する機能を有するファクシミリ装置と通信端末装置とを公衆回線網を介して接続した通信システムにおいて、前記通信端末装置は、電話事業者が提供する電話番号通知サービスにより通知された前記ファクシミリ装置のダイヤル番号を、当該ファクシミリ装置に通知する番号通知手段、を備え、前記ファクシミリ装置は、前記通信端末装置より通知された当該ファクシミリ装置のダイヤル番号を、前記自装置識別情報として登録する自装置識別情報登録手段、を備える。
【００１６】
請求項８の発明は、請求項７に記載の通信システムにおいて、前記番号通知手段が、前記電話番号通知サービスにより通知された前記ファクシミリ装置のダイヤル番号を、当該通信プロセスにおける所定の制御信号に含ませて当該ファクシミリ装置に送信する。
【００１７】
請求項９の発明は、公衆回線網を介して所定の通信端末装置と接続され、ファクシミリ通信において自装置識別情報を通信相手先に送信する機能を有するファクシミリ装置において、前記自装置識別情報として使用されるデータの登録方法であって、前記通信端末装置に発呼して、電話事業者が提供する電話番号通知サービスにより自装置のダイヤル番号を前記通信端末装置に通知する番号通知工程と、前記通信端末装置より登録情報を知得する登録情報知得工程と、前記知得された前記登録情報を自装置識別情報として登録する自装置識別情報登録工程と、を備え、前記登録情報が、前記電話番号通知サービスにより前記通信端末装置に通知された当該ファクシミリ装置のダイヤル番号である。
【発明の効果】
【００１８】
請求項１〜４に記載の発明によれば、電話事業者が提供する電話番号通知サービスにより通信相手に通知されるダイヤル番号を自装置識別情報として登録するので、自装置の正しいダイヤル番号を自装置識別情報として登録することができる。これによって、通信相手の識別情報を利用した誤送信防止機能や受信拒否機能を有する装置に対しても正常なファクシミリ通信を行うことができる。
【００１９】
請求項５，６に記載の発明によれば、電話事業者が提供する電話番号通知サービスにより通知された通信相手装置のダイヤル番号を当該通信相手装置に通知するので、通信回線を介して接続された通信相手装置に当該装置の正確なダイヤル番号を知得させることができる。これによって、当該通信相手装置に自装置の正しいダイヤル番号を自装置識別情報として登録させることができる。
【００２０】
請求項７に記載の発明によれば、ファクシミリ装置は、公衆回線網を介して接続された通信端末装置より自装置のダイヤル番号、すなわち、電話事業者が提供する電話番号通知サービスにより通信端末装置に通知された自装置のダイヤル番号を通知され、当該通知されたダイヤル番号を自装置識別情報として登録することができる。つまり、自装置の正しいダイヤル番号を自装置識別情報として登録することができる。
【００２１】
請求項８に記載の発明によれば、電話事業者が提供する電話番号通知サービスにより通知されたファクシミリ装置のダイヤル番号が、当該通信プロセスにおける所定の制御信号に含ませて通信端末装置より送信されるので、ファクシミリ装置は、一度の通信を行うだけで自装置の正しいダイヤル番号を知得することができる。すなわち、自装置識別情報の登録を正確かつ簡便に行うことができる。
【００２２】
請求項９に記載の発明によれば、ファクシミリ装置は、電話事業者が提供する電話番号通知サービスにより通信端末装置に通知された自装置のダイヤル番号を、自装置識別情報として登録することができる。つまり、自装置の正しいダイヤル番号を自装置識別情報として登録することができる。
【発明を実施するための最良の形態】
【００２３】
〈１．デジタル複合機〉
図１は、この発明の実施の形態のファクシミリ装置に相当する機能が組み込まれたデジタル複合機１の構成を示すブロック図である。
【００２４】
図１を参照する。このデジタル複合機１は、ＦＡＸ機能、コピー機能、スキャン機能、プリント機能などの複数の機能を有する複合機（ＭＦＰ装置）として構成されている。
【００２５】
このデジタル複合機１は、制御部１１と、ＲＡＭ１２と、ＲＯＭ１３と、操作部１４と、表示部１５と、画像処理部１６と、画像読取部１７と、画像記録部１８と、画像メモリ１９と、大容量蓄積部２０と、自装置識別情報登録部２１と、自装置識別情報メモリ２２と、通信関係の機能部２３〜２６とを、バスライン２７を介して電気的に接続した構成となっている。
【００２６】
制御部１１は、ＣＰＵで構成されている。制御部１１は、ＲＯＭ１３に記憶されたプログラムに基づいて上記のハードウエア各部を制御し、デジタル複合機１の機能を実現する。
【００２７】
ＲＡＭ１２は、読み出しと書き込みとが可能な記憶装置であり、画像データ、ＦＡＸ番号、メールアドレスなどの一時的に蓄積される諸データや、制御部１１による演算処理の際に発生するデータなどを一時的に記憶する。ＲＡＭ１２はＳＲＡＭやフラッシュメモリなどで構成される。
【００２８】
ＲＯＭ１３は、デジタル複合機１の制御に必要なプログラムやデータを予め格納した読み出し専用の記憶装置である。
【００２９】
操作部１４は、文字キー、テンキー、ファンクションキーなどの各種キーによって構成され、コマンドやテキストデータの入力といったユーザ操作を受け付ける。特に、自装置識別情報の自動登録の実行指示を行うためのキーとして、自動登録実行キー１４１を備えている。操作部１４が受けたユーザ操作は信号として制御部１１に入力される。制御部１１はユーザ操作に基づいて各部の動作を制御する。
【００３０】
表示部１５は、デジタル複合機１の動作状態や、画像データなどを表示する表示装置である。表示部１５は、液晶ディスプレイなどの表示装置により構成される。なお、操作部１４に設けられた各種のキーは、この表示部１５のディスプレイ画面上に設けたタッチパネルによって実現されてもよい。
【００３１】
画像処理部１６は、受信された画像データや、画像読取部１７から取得した画像データにＡ／Ｄ変換、表色系の変換、色調整、画像の合成などの種々の処理を行う処理部である。
【００３２】
画像読取部１７は、原稿上の画像をＣＣＤラインセンサなどの読取素子によって読み取るスキャナである。画像読取部１７は、ガラス台上に載置された原稿の表面を読取素子が走査して画像を読み取るタイプのスキャナであってもよく、原稿の載置台（図示省略）に載置された原稿を、ＡＤＦ（Auto Document Feeder）によって搬送し、搬送される原稿の表面を静止した読取素子によって走査して画像を読み取るタイプのスキャナであってもよい。
【００３３】
画像記録部１８は、画像メモリ１９に格納された画像データなどを記録紙上へ記録するプリンタである。画像記録部１８には、例えば、電子写真方式のプリンタを採用することができる。
【００３４】
画像メモリ１９は、ＬＡＮＩ／Ｆ２５やＮＣＵ２６を通じて外部装置４，５，６から受信した画像データ、画像読取部１７において取得された画像データ、画像処理部１６において処理された画像データなどを、一時的に記憶するための記憶装置である。画像メモリ１９は、読み出しと書き込みとが可能なＤＲＡＭ等のメモリにより構成される。
【００３５】
大容量蓄積部２０は、ハードディスクなどにより構成される。大容量蓄積部２０は、画像読取部１７により処理された画像データを蓄積することができる。
【００３６】
自装置識別情報登録部２１は、ＣＳＩ信号やＴＳＩ信号として使用される自装置識別情報の登録を自動に行うための各種の処理を行うための処理部である。
【００３７】
自装置識別情報メモリ２２は、ＣＳＩ信号やＴＳＩ信号として使用される自装置識別情報を格納するための記憶装置である。
【００３８】
さらにこのデジタル複合機１には、通信関係の機能部として、画像データ等を複数のプロトコルに対応して符号化/復号化するコーデック（ＣＯＤＥＣ）２３と、送受信データの変調および復調を行うモデム２４と、ＬＡＮ（ローカルエリアネットワーク）１００とのインターフェイスに相当するＬＡＮＩ／Ｆ２５と、電話回線の開閉制御を行うＮＣＵ２６とが、バスライン２７を介して電気的に接続した構成となっている。
【００３９】
次に、このデジタル複合機１の通信環境について説明する。デジタル複合機１は、ＬＡＮ１００と接続されている。ＬＡＮ１００にはメールサーバ３や外部端末４などが接続されている。また、ＬＡＮ１００は、ルータ２などを介してインターネット２００に接続されている。このような構成によって、デジタル複合機１は、ＬＡＮ１００を介して接続された外部端末４や、インターネット２００を介して接続された外部端末５と電子メール通信などを行うことができる。さらに、デジタル複合機１は、アナログ回線用のデータ通信ネットワークであるＰＳＴＮ（公衆交換電話網）３００と接続されている。これによって、デジタル複合機１はＰＳＴＮ３００を介して接続された外部端末６との通信を行うことができる。外部端末４，５，６は、モデム接続されたパソコン、デジタル複合機１と同様の装置、固定電話、携帯電話、ＦＡＸ専用機、等である。また、デジタル複合機１は、ＰＳＴＮ３００を介して自動登録応答用端末７と接続されている。自動登録応答用端末７については以下に説明する。
【００４０】
〈２．自動登録応答用端末〉
図２は、この発明の実施の形態の通信端末装置に相当する機能が組み込まれた自動登録応答用端末７の構成を示すブロック図である。自動登録応答用端末７は、ＰＳＴＮ３００を介して接続されたデジタル複合機１における自装置識別情報の自動登録に供される装置である。より具体的には、一連の通信プロセスを含む自装置識別情報の自動登録処理において、自動登録の際の通信相手装置、すなわち、自動登録における通信プロセスの応答装置として機能する端末装置である。
【００４１】
図２を参照する。この自動登録応答用端末７は、サービスセンターのＦＡＸ装置として構成されており、図２には、特に自装置識別情報の登録に関する機能構成部分のみが示されている。
【００４２】
この自動登録応答用端末７は、制御部７１と、ＲＡＭ７２と、ＲＯＭ７３と、装置識別情報送信処理部７４と、通信関係の機能部７５〜７７とを、バスライン７８を介して電気的に接続した構成となっている。
【００４３】
制御部７１は、ＣＰＵで構成されている。制御部７１は、ＲＯＭ７３に記憶されたプログラムに基づいて上記のハードウエア各部を制御し、自動登録応答用端末７の機能を実現する。
【００４４】
ＲＡＭ７２は、読み出しと書き込みとが可能な記憶装置であり、一時的に蓄積される諸データや、制御部７１による演算処理の際に発生するデータなどを一時的に記憶する。ＲＡＭ１２はＳＲＡＭやフラッシュメモリなどで構成される。
【００４５】
ＲＯＭ７３は、自動登録応答用端末７の制御に必要なプログラムやデータを予め格納した読み出し専用の記憶装置である。
【００４６】
自装置識別情報送信処理部７４は、デジタル複合機１に対して、ＣＳＩ信号やＴＳＩ信号として使用される自装置識別情報を送信するための各種の処理を行うための処理部である。
【００４７】
この自動登録応答用端末７は、通信関係の機能部として、画像データ等を複数のプロトコルに対応して符号化/復号化するコーデック（ＣＯＤＥＣ）７５と、送受信データの変調および復調を行うモデム７６と、電話回線の開閉制御を行うＮＣＵ７７とが、バスライン７８を介して電気的に接続した構成となっている。
【００４８】
次に、この自動登録応答用端末７の通信環境について説明する。この自動登録応答用端末７は、ＰＳＴＮ３００と接続されている。これによって、デジタル複合機１はＰＳＴＮ３００を介して接続されたデジタル複合機１との通信を行うことができる。
【００４９】
〈３．自装置識別情報の登録処理〉
図３は、この実施の形態に係るデジタル複合機１において自装置識別情報の登録を行う際の、デジタル複合機１の処理動作を示すフローチャート（ステップＳ１〜Ｓ６）と、自動登録応答用端末７の処理動作を示すフローチャート（ステップＳ７１〜Ｓ７６）とが対応付けて示された図である。以下において、デジタル複合機１および自動登録応答用端末７の各々の処理動作を説明する。
【００５０】
なお、デジタル複合機１と自動登録応答用端末７とにおいて行われる一連の通信は、所定の通信プロトコル（例えばＧ３プロトコル）を用いて行われるが、図３には、特に自装置識別情報の登録に関する制御信号のみを示し、その他の制御信号については図示および説明を省略している。
【００５１】
また、特に記載のない場合、デジタル複合機１における一連の処理動作（ステップＳ１〜Ｓ５）は制御部１１の制御下で、自動登録応答用端末７における一連の処理動作（ステップＳ７１〜Ｓ７６）は制御部７１の制御下で、各々自動に行われる。
【００５２】
〈３−１．デジタル複合機１における登録処理動作〉
自装置識別情報の自動登録を開始するための所定の指示入力が行われたと判断されると、自装置識別情報の自動登録処理が開始される（ステップＳ１）。より具体的には、自装置識別情報登録部２１がＲＯＭ１３に予め格納された所定のプログラムを起動することにより、以下の一連の自装置識別情報の自動登録処理が実行されることになる。なお、この指示入力は、自動登録実行キー１４１のユーザ操作によって行われる。また、所定の条件（例えば、電源がオンされた場合や、機器設置時のテスト送信を行う場合等）において自装置識別情報の自動登録が強制的に開始される構成としてもよい。後者の場合、所定の条件に合致したと判断された場合にステップＳ２に進むことになる。
【００５３】
ステップＳ１において、所定の指示入力が行われたと判断されると、続いて、所定の自動登録応答用端末７に対する発呼が行われる（ステップＳ２）。
【００５４】
ここで、発呼先となる自動登録応答用端末７は、当該デジタル複合機１が設置された地域を管轄するサービスセンターとして設置されたファクシミリ装置である。このようなサービスセンターのダイヤル番号は予めＲＡＭ１２に記憶されており、ステップＳ１において、当該記憶されたダイヤル番号がＲＡＭ１２より読み出される。また、ユーザがマニュアル等を参照して、操作部１４より直接にサービスセンターのダイヤル番号を入力する態様でもよい。
【００５５】
なお、この通信においては、電話事業者が提供する電話番号通知サービス、すなわち、通信の前に発信者側のダイヤル番号を受信者に対して通知する発信者番号通知サービス（以下において、「電話番号通知サービス」という）を受けられる状態にして発呼を行う。この電話番号通知サービスとは、「ナンバーディスプレイサービス」（登録商標）として知られるようなサービスに該当する。例えば、電話番号通知サービスを受けられる状態、すなわち、発信者番号を通知する設定とするために、宛先となる自動登録応答用端末７のダイヤル番号の前に「１８６」を付けてダイヤルするように予めプログラムしておく。また、ユーザが操作部１４よりサービスセンターのダイヤル番号を入力する態様の場合には、表示部１５に「１８６」を付けてダイヤルすることを促す所定のメッセージ（例えば「ダイヤル番号の前に「１８６」を入力してください。」とのメッセージ）を表示する。これによって、電話番号通知サービスが受けられる状態となり、交換機が、自動登録応答用端末７に対して、デジタル複合機１のダイヤル番号を含むデータ（以下において「番号通知情報」という）を必ずモデム信号で送出することになる。
【００５６】
ステップＳ２の発呼の後、図示しない所定の制御信号によって呼の設定が行われ（フェーズＡ）、続いてメッセージ前の通信が開始される（フェーズＢ）。ここで、「自動登録モードビット」をオンしたＮＳＳ信号（非標準機能設定信号）を送信する（ステップＳ３）。「自動登録モードビット」とは、当該通信が自動登録を行うための一連の処理であることを宣言して、自動登録応答用端末７を自動登録モードに移行させるための指示信号である。
【００５７】
ステップＳ３のＮＳＳ信号の送信の後、続いて、テストチャートが送信される（ステップＳ４）。なお、テストチャートの具体的内容は任意に設定可能である。例えば、設置結果のレポート等であってもよいし、テストチャートが必要ではない場合にはステップＳ４を省略してステップＳ５に進んでもよい。
【００５８】
ステップＳ３のテストチャートの送信の後、続いてメッセージ後の通信が行われる（フェーズＤ）。ここで、ＮＳＣ信号（非標準機能命令信号）が受信される（ステップＳ５）。このＮＳＣ信号には、後述するように、番号通知情報が登録情報として格納されている。
【００５９】
ステップＳ５において登録情報を格納したＮＳＣ信号が受信されると、続いて、当該得られた登録情報を自装置識別情報として自装置識別情報メモリ２３に格納する（ステップＳ６）。つまり、登録情報として自動登録応答用端末７より送信された番号通知情報（すなわち、電話番号通知サービスによって通信相手装置である自動登録応答用端末７に通知されたデジタル複合機１のダイヤル番号）が、自装置識別情報として自装置識別情報メモリ２３に格納されることになる。
【００６０】
以上で、デジタル複合機１における自装置識別情報の登録処理が終了する。
【００６１】
〈３−２．自動登録応答用端末７における登録処理動作〉
自動登録応答用端末７は、交換機より番号通知情報を受信すると、当該受信した番号通知情報を登録情報としてＲＡＭ７２に格納する（ステップＳ７１）。すなわち、電話番号通知サービスによって通知された発信者であるデジタル複合機１のダイヤル番号を、登録情報として記憶する。なお、「登録情報」とは、デジタル複合機１において自装置識別情報として登録される情報である。
【００６２】
続いて、着信して応答する（ステップＳ７２）。
【００６３】
さらに、図示しない所定の制御信号によって呼の設定が行われ（フェーズＡ）、続いてメッセージ前の通信が開始される（フェーズＢ）。ここで、ＮＳＳ信号が受信される（ステップＳ７３）。
【００６４】
続いて、ステップＳ７３において受信されたＮＳＳ信号に、自動登録モードビットがオンされているか否かが判断される（ステップＳ７４）。
【００６５】
ステップＳ７４で自動登録モードビットがオンされていないと判断された場合、当該通信が自動登録を行うための一連の処理ではないと判断して、自動登録に関する処理は行わない。
【００６６】
ステップＳ７４で自動登録モードビットがオンされていると判断された場合、当該通信が自動登録を行うための一連の処理であると判断して、自動登録応答用端末７は自動登録モードに移行する。より具体的には、装置識別情報送信処理部７４がＲＯＭ７３に予め格納された所定のプログラムを起動することにより、以下の一連の処理が実行されることになる。
【００６７】
まず、テストチャートが受信される（ステップＳ７５）。テストチャートが送信されなかった場合にはステップＳ７５は行わずにステップＳ７６に進む。
【００６８】
ステップＳ７５のテストチャートの受信の後、続いてメッセージ後の通信が行われる（フェーズＤ）。ここで、登録情報を格納したＮＳＣ信号を送信する（ステップＳ７６）。より具体的には、ステップＳ７１においてＲＡＭ７２に格納された登録情報（すなわち、登録情報として格納された番号通知情報）を読み出して、ＮＳＣ信号に含ませて送信する。
【００６９】
以上で、自動登録応答用端末７における自装置識別情報の登録処理が終了する。
【００７０】
この実施の形態によると、デジタル複合機１が自動登録応答用端末７に対して発呼した際に、自動登録応答用端末７に通知された番号通知情報が、当該デジタル複合機１の自装置識別情報として登録される。従って、自装置の正しいダイヤル番号を自装置識別情報として登録することができる。
【００７１】
また、番号通知情報がＮＳＣ信号に格納されて、自動登録応答用端末７よりデジタル複合機１に送信されるので、デジタル複合機１は、自動登録応答用端末７に対して一度の通信を行うだけで、自装置の正しいダイヤル番号を知得することができる。すなわち、自装置識別情報の登録を正確かつ簡便に行うことができる。
【００７２】
また、自動登録応答用端末７がサービスセンターとして設置されたファクシミリ装置であるので、当該サービスセンターの管轄する地域に設置されたデジタル複合機１が容易にアクセスできる。例えば、デジタル複合機１の機器設置時のテストとしてサービスセンターにＦＡＸ送信する際に、自装置識別情報の自動登録を行うことができる。つまり自動登録のための通信を特に行うのではなく、設置テストの際に付随的に自動登録を実行することができる。つまり、自動登録応答用端末７を、サービスセンターとして設置されたファクシミリ装置として構成することによって、デジタル複合機１は自装置識別情報の自動登録を容易かつ効率的に行うことが可能となる。またさらに、１つの自動登録応答用端末７で集中的に多くのデジタル複合機１の自装置識別情報の自動登録を行わせることができる。すなわち、効率的に自装置識別情報の登録を行わせることができる。
【００７３】
また、デジタル複合機１は、テストチャートとして任意の情報を自動登録応答用端末７に対して送信することができる。例えば、自動登録応答用端末７に対して何らかのデータ送信の必要がある場合等、当該データを送信するための通信を利用して自装置識別情報の登録を付随的に行うことができる。
【００７４】
〈４．変形例〉
上記の実施の形態においては、自動登録応答用端末７が登録情報をＮＳＣ信号に格納して送出しているが、他の制御信号に格納して送出してもよい。また、任意のデータ通信方法によって登録情報（すなわち、番号通知情報）をデジタル複合機１に送信してもよい。なお、この場合、デジタル複合機１の側において、所定の方法で受信されたデータを登録情報と認識するように併せて設定しておく必要がある。
【００７５】
また、上記の実施の形態においては、自動登録応答用端末７がサービスセンターとして設置されたファクシミリ装置として構成されていたが、特にサービスセンターとして構成されていなくてもよい。また、ファクシミリ装置の他に、固定電話、携帯電話等によって構成されてもよい。
【図面の簡単な説明】
【００７６】
【図１】この発明の実施の形態に係るデジタル複合機１の構成を示すブロック図である。
【図２】この発明の実施の形態に係る自動登録応答用端末７の構成を示すブロック図である。
【図３】この発明の実施の形態に係るデジタル複合機１および自動登録応答用端末７の各々における処理動作を示すフローチャートである。
【符号の説明】
【００７７】
１  デジタル複合機
７  自動登録応答用端末
２１  自装置識別情報登録部
２２  自装置識別情報メモリ
７４  装置識別情報送信部
【図１】
2007116352.tif 000003
【図２】
2007116352.tif 000004
【図３】
2007116352.tif 000005